(57)【要約】【課題】縦横位置の切り換えをおこなった場合でも最適な配光となり、また、フラッシュ装置の配光特性に応じて、最適な縦横やアスペクト比となる撮像装置およびフラッシュ装置を提供する。【解決手段】被写体像を画像データとして出力する撮像素子２２１と、撮像装置に内蔵される、又は脱着可能な発光部３０４、６０３を有し、撮像素子２２１の画像データ出力領域の縦横及び／又はアスペクト比に応じて、発光部３０４、６０４の配光を制御する。また、発光部３０４、６０３の配光に応じて、撮像素子２２１の画像データ出力領域の縦横及び／又はアスペクト比を制御する。【選択図】  図３
2010141457.tif 000002
【特許請求の範囲】
【請求項１】
被写体像を画像データとして出力する撮像部と、
撮像装置に内蔵される、又は脱着可能な発光部と、
上記撮像部の画像データ出力領域の縦横及び／又はアスペクト比を制御する撮像領域制御部と、
上記画像データ出力領域の縦横及び／又はアスペクト比に応じて、上記発光部の配光を制御する配光制御部と、
を有することを特徴とする撮像装置。
【請求項２】
上記発光部は略真円形状、又は略楕円形状、又は略瓢箪形状の配光特性を持つことを特徴とする請求項１に記載の撮像装置。
【請求項３】
上記配光制御部は、
上記画像データ出力領域が横長の場合は、上記配光特性を横長の略楕円形状、又は横長の略瓢箪形状の態様となるように制御し、
上記画像データ出力領域が縦長の場合は、上記配光特性を縦長の略楕円形状、又は縦長の略瓢箪形状の態様となるように制御し、
上記画像データ出力領域が略正方形の場合は、上記配光特性を略真円形状の態様となるように制御する、
ことを特徴とする請求項２に記載の撮像装置。
【請求項４】
被写体像を画像データとして出力する撮像部と、
上記撮像部の画像データ出力領域の縦横及び／又はアスペクト比を制御する撮像領域制御部と、
撮像装置本体に、脱着可能な外部フラッシュと通信を行う通信部と、
上記画像データ出力領域の縦横及び／又はアスペクト比に応じて、上記通信部を介して上記発光部の配光を切り換えるための配光制御部と、
を有することを特徴とする撮像装置。
【請求項５】
上記配光制御部は、上記画像データ出力領域が縦長画像の場合には、上記通信部を介して上記発光部を縦長の配光に切り換えることを特徴とする請求項４に記載の撮像装置。
【請求項６】
上記配光制御部は、上記画像データ出力領域が横長画像の場合には、上記通信部を介して上記発光部を横長の配光に切り換えることを特徴とする請求項４に記載の撮像装置。
【請求項７】
被写体像を画像データとして出力する撮像部と、
撮像装置に内蔵される、又は脱着可能な発光部と、
上記発光部の配光を制御する配光制御部と、
上記発光部の配光に応じて、上記撮像部の画像データ出力領域の縦横及び／又はアスペクト比を制御する撮像領域制御部と、
を有することを特徴とする撮像装置。
【請求項８】
上記配光制御部は、上記発光部を移動する又は回転することにより、配光を制御することを特徴とする請求項７に記載の撮像装置。
【請求項９】
上記発光部は略真円形状、又は略楕円形状、又は瓢箪形状の配光特性を持つことを特徴とする請求項７および請求項８に記載の撮像装置。
【請求項１０】
上記撮像領域制御部は、
上記配光特性が縦長の略楕円形状の場合は、上記画像データ出力領域を縦長の態様となるように制御し、
上記配光特性が横長の略楕円形状の場合は、上記画像データ出力領域を横長の態様となるように制御し、
上記配光特性が略真円形状の場合は、上記画像データ出力領域を正方形の態様となるように制御する、
ことを特徴とする請求項９に記載の撮像装置。
【請求項１１】
被写体像を画像データとして出力する撮像部と、
撮像装置本体に脱着可能であり、配光特性を切り換え可能な発光部を有する外部フラッシュから、上記配光特性に関する情報を受信するための通信部と、
上記通信部を介して受信した上記配光特性に関する情報に応じて、上記撮像部の画像データ出力領域の縦横及び／又はアスペクト比を制御する撮像領域制御部と、
を有することを特徴とする撮像装置。
【請求項１２】
上記撮像領域制御部は、上記配光特性に関する情報が縦長の場合には、上記画像データ出力領域を縦長画像となるように制御することを特徴とする請求項１１に記載の撮像装置。
【請求項１３】
上記撮像領域制御部は、上記配光特性に関する情報が横長の場合には、上記画像データ出力領域を横長画像となるように制御することを特徴とする請求項１１に記載の撮像装置。
【請求項１４】
撮像装置における画像データ出力領域が縦長または横長かに応じた位置情報を受信するための受信部と、
被写体に向けて照射するための発光部と、
上記発光部の配光特性を上記位置情報に基づいて切り換える配光制御部と、
を有することを特徴とするフラッシュ装置。
【請求項１５】
上記発光部は細長の発光管を有し、上記発光管の向きを換えることにより、上記配光特性を切り換えることを特徴とする請求項１４に記載のフラッシュ装置。
【請求項１６】
上記発光部は、少なくとも２つに分離して配置されており、この２つに分離して配置された発光部の位置関係を変えることにより、上記配光特性を切り換えることを特徴とする請求項１５に記載のフラッシュ装置。
【請求項１７】
被写体に向けて照射するための発光部と、
上記発光部の配光特性を切り換える配光制御部と、
上記発光部の配光特性に関する情報を送信する送信部と、
を有することを特徴とするフラッシュ装置。
【発明の詳細な説明】
【技術分野】
【０００１】
本発明は、撮像装置およびフラッシュ装置に関し、詳しくは、縦横位置や異なるアスペクト比に画像を変更可能な撮像装置、およびこの撮像装置と組み合わせ使用するフラッシュ装置に関する。
【背景技術】
【０００２】
近年、デジタルカメラ等の撮像装置が普及してきており、再生装置も多様化している。また、構図によっては縦位置や横位置に変更したり、またアスペクト比も変更した場合がある。そこで、再生装置の画面や、また構図に合わせて縦位置・横位置やアスペクト比等を変更することのできるカメラが提案されている。
【０００３】
また、画面サイズが標準サイズと小画面サイズに切り換えられるカメラにおいて、画面サイズが切り換えられた際に、フラッシュ光を無駄なく照射できるようにしたフラッシュ装置が提案されている（特許文献１参照）。フラッシュ装置は、画面サイズの切り換えに応じて、発光管と反射傘の間の距離を変更し、照射範囲を変更している。
【特許文献１】特開平７−４３７９４号公報
【発明の開示】
【発明が解決しようとする課題】
【０００４】
特許文献１に開示のフラッシュ装置によれば、画面サイズが変更された場合に照射範囲が変更される。しかし、フラッシュ装置において、照射範囲の変更機能を有していない場合には、縦横やアスペクト比を変更した場合には、照射ムラや無駄な照射となってしまう。また、特許文献１に開示のフラッシュ装置では、横位置において、小画面サイズに切り換える場合に、照射範囲を変更しているのみであり、縦横位置の切り換えを行った場合には、照射ムラや無駄な照射が生じてしまう。
【０００５】
本発明は、このような事情を鑑みてなされたものであり、縦横位置の切り換えをおこなった場合でも最適な配光となる撮像装置およびフラッシュ装置を提供することを第１の目的とする。また、フラッシュ装置の配光特性に応じて、最適な縦横やアスペクト比となる撮像装置およびフラッシュ装置を提供することを第２の目的とする。
【課題を解決するための手段】
【０００６】
上記目的を達成するため第１の発明に係わる撮像装置は、被写体像を画像データとして出力する撮像部と、撮像装置に内蔵される、又は脱着可能な発光部と、上記撮像部の画像データ出力領域の縦横及び／又はアスペクト比を制御する撮像領域制御部と、上記画像データ出力領域の縦横及び／又はアスペクト比に応じて、上記発光部の配光を制御する配光制御部と、を有する。
【０００７】
第２の発明に係わる撮像装置は、上記第１の発明において、上記発光部は略真円形状、又は略楕円形状、又は略瓢箪形状の配光特性を持つ。
第３の発明に係わる撮像装置は、上記第２の発明において、上記配光制御部は、上記画像データ出力領域が横長の場合は、上記配光特性を横長の略楕円形状、又は横長の略瓢箪形状の態様となるように制御し、上記画像データ出力領域が縦長の場合は、上記配光特性を縦長の略楕円形状、又は縦長の略瓢箪形状の態様となるように制御し、上記画像データ出力領域が略正方形の場合は、上記配光特性を略真円形状の態様となるように制御する。
【０００８】
第４の発明に係わる撮像装置は、被写体像を画像データとして出力する撮像部と、上記撮像部の画像データ出力領域の縦横及び／又はアスペクト比を制御する撮像領域制御部と、撮像装置本体に、脱着可能な外部フラッシュと通信を行う通信部と、上記画像データ出力領域の縦横及び／又はアスペクト比に応じて、上記通信部を介して上記発光部の配光を切り換えるための配光制御部と、を有する。
第５の発明に係わる撮像装置は、上記第４の発明において、上記配光制御部は、上記画像データ出力領域が縦長画像の場合には、上記通信部を介して上記発光部を縦長の配光に切り換える。
第６の発明に係わる撮像装置は、上記第４の発明において、上記配光制御部は、上記画像データ出力領域が横長画像の場合には、上記通信部を介して上記発光部を横長の配光に切り換える。
【０００９】
第７の発明に係わる撮像装置は、被写体像を画像データとして出力する撮像部と、撮像装置に内蔵される、又は脱着可能な発光部と、上記発光部の配光を制御する配光制御部と、上記発光部の配光に応じて、上記撮像部の画像データ出力領域の縦横及び／又はアスペクト比を制御する撮像領域制御部と、を有する。
【００１０】
第８の発明に係わる撮像装置は、上記第７の発明において、上記配光制御部は、上記発光部を移動する又は回転することにより、配光を制御する。
第９の発明に係わる撮像装置は、上記第７および第８の発明において、上記発光部は略真円形状、又は略楕円形状、又は瓢箪形状の配光特性を持つ。
第１０の発明に係わる撮像装置は、上記第９の発明において、上記撮像領域制御部は、上記配光特性が縦長の略楕円形状の場合は、上記画像データ出力領域を縦長の態様となるように制御し、上記配光特性が横長の略楕円形状の場合は、上記画像データ出力領域を横長の態様となるように制御し、上記配光特性が略真円形状の場合は、上記画像データ出力領域を正方形の態様となるように制御する。
【００１１】
第１１の発明に係わる撮像装置は、被写体像を画像データとして出力する撮像部と、撮像装置本体に脱着可能であり、配光特性を切り換え可能な発光部を有する外部フラッシュから、上記配光特性に関する情報を受信するための通信部と、上記通信部を介して受信した上記配光特性に関する情報に応じて、上記撮像部の画像データ出力領域の縦横及び／又はアスペクト比を制御する撮像領域制御部と、を有する。
第１２の発明に係わる撮像装置は、上記第１１の発明において、上記撮像領域制御部は、上記配光特性に関する情報が縦長の場合には、上記画像データ出力領域を縦長画像となるように制御する。
第１３の発明に係わる撮像装置は、上記第１１の発明において、上記撮像領域制御部は、上記配光特性に関する情報が横長の場合には、上記画像データ出力領域を横長画像となるように制御する。
【００１２】
第１４の発明に係わるフラッシュ装置は、撮像装置における画像データ出力領域が縦長または横長かに応じた位置情報を受信するための受信部と、被写体に向けて照射するための発光部と、上記発光部の配光特性を上記位置情報に基づいて切り換える配光制御部と、を有する。
第１５の発明に係わるフラッシュ装置は、上記第１４の発明において、上記発光部は細長の発光管を有し、上記発光管の向きを換えることにより、上記配光特性を切り換える。
第１６の発明に係わるフラッシュ装置は、上記第１５の発明において、上記発光部は、少なくとも２つに分離して配置されており、この２つに分離して配置された発光部の位置関係を変えることにより、上記配光特性を切り換える。
第１７の発明に係わるフラッシュ装置は、被写体に向けて照射するための発光部と、上記発光部の配光特性を切り換える配光制御部と、上記発光部の配光特性に関する情報を送信する送信部と、を有する。
【発明の効果】
【００１３】
本発明によれば、縦横位置の切り換えをおこなった場合でも最適な配光となる撮像装置およびフラッシュ装置を提供すると共に、フラッシュ装置の配光特性に応じて、最適な縦横やアスペクト比となる撮像装置およびフラッシュ装置を提供することができる。
【発明を実施するための最良の形態】
【００１４】
以下、図面に従って本発明を適用したデジタルカメラを用いて好ましい実施形態について説明する。図１は、本発明の第１実施形態に係わるデジタル一眼レフレックスカメラの正面から見た外観図であり、図２は、このデジタル一眼レフレックスカメラの背面側から見た外観斜視図である。
【００１５】
図１に示すカメラ本体２００の前面の略中央には、交換レンズ１００を装着するためのボディマウント２４が設けてある。このボディマウント２４より少し奥まった位置には、交換レンズ１００と接続し、通信を行うための通信接点３４１が配置されている。また、ボディマウント２４よりカメラ本体２００の内部側はミラーボックスであり、ミラーボックス内には、可動ミラー２０１等が配置されている。
【００１６】
また、カメラ本体２００の正面左側のグリップ部の上部には、レリーズ釦２１が配置されている。レリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピント合わせ、被写体輝度の測光等の撮影動作を行い、第２レリーズスイッチ（以下、２Ｒと称する）のオンにより撮像素子２２１（図３参照）の出力に基づいて被写体像の画像データの取り込みを行う露光動作を実行する。
【００１７】
また、カメラ本体２００の正面左側グリップ部には、前ダイアル２２が配置されている。この前ダイアル２２は、時計方向および反時計方向に回転自在であり、その回転方向と回転量が検知され出力される。
【００１８】
カメラ本体２００の上部には、被写体に補助光を照射するための内蔵フラッシュ５０が収納されている。内蔵フラッシュ５０をポップアップ状態とすると、使用状態となり、その発光部３０４（後述する図１１参照）は被写体に向けた位置となる。
【００１９】
カメラ本体２００の上面には、コントロールパネル４０が配置されている。このコントロールパネル４０は、液晶等の表示装置であって、撮影にあたっての絞り値やシャッタ速度値等の撮影情報が表示される。
【００２０】
図２に示すように、カメラ本体２００の背面の右上には、後ダイアル２３が配置されている。後ダイアル２３も、前ダイアル２２と同様、時計方向および反時計方向に回転自在であり、その回転方向と回転量が検知され出力される。
【００２１】
後ダイアル２３の下側には、ライブビュー表示釦（以下、ＬＶ表示釦と称す）３１が配置されている。ライブビュー表示は、撮像素子によって取得した画像データに基づいて被写体像観察用に液晶モニタ等の表示装置に被写体像を表示することをいう。このＬＶ表示釦３１を操作することにより、ライブビュー表示モードを設定し、また再度操作するとライブビュー表示モードの解除を行う。
【００２２】
ＬＶ表示釦３１の下側には、十字釦３２が配置されている。この十字釦３２は上側十字釦、下側十字釦、右側十字釦、左側十字釦の４つの釦からなり、背面液晶モニタ３９上にカーソルが表示されている場合に、このカーソルの移動等に用いる。４つの十字釦３２のほぼ中心にＯＫ釦３３が配置されている。このＯＫ釦３３は、十字釦３２によって選択された項目の決定を行うための操作部材である。
【００２３】
十字釦３２の下側には、パワースイッチ３４が配置されている。このパワースイッチ３４は、このカメラのカメラ動作の実行を制御するための操作部材である。すなわち、本実施形態に係わるカメラは、パワースイッチ３４がオン状態の場合に、種々の動作を実行し、オフの場合にはカメラ動作を実行しない。
【００２４】
カメラ本体２００の背面の略中央の上部には、接眼部３８が設けられており、この中に接眼レンズ２０９が配置されている。カメラ本体２００は一眼レフレックスカメラであり、内部には、可動ミラー２０１やペンタプリズム２０７等のファインダ光学系（図３参照）が配置され、このファインダ光学系を通過した被写体光束が、この接眼レンズ２０９より出射する。撮影者は接眼レンズ２０９を介して、光学的に被写体像を観察することができる。
【００２５】
接眼部３８の下側には、背面液晶モニタ（以下、背面ＬＣＤと称す）３９が配置されている。背面ＬＣＤ３９は、ライブビュー表示を行い、また、記録済みの被写体像を再生表示し、撮影情報やメニューを表示するための表示装置である。これらの表示を行うことができるものであれば、液晶に限らない。また、本実施形態においては、カメラ本体２００の背面に配置しているが、撮影者が観察できる位置であれば、背面に限られない。
【００２６】
背面ＬＣＤ３９の下側であって、パワースイッチ３４の左側には、メニュー釦３５が配置されている。このメニュー釦３５はメニューモードに設定し、また解除するための操作部材である。メニューモードは、このカメラの種々のモードやその他の設定を行うモードであり、メニューモードに設定されると、背面ＬＣＤ３９にメニュー表示がなされる。撮影者は、このメニュー表示の中から好みのモード等を十字釦３２によって選択し、ＯＫ釦３３によって確定する。
【００２７】
メニュー釦３５の左側には、再生釦３６が配置されている。この再生釦３６は、記録媒体等に記録された画像データを読み出し、この画像データに基づいて被写体像を背面ＬＣＤ３９に再生表示する再生モードを指示する操作部材である。
【００２８】
再生釦３６の左側には、縦横釦３７が配置されている。この縦横釦３７は縦長画像と横長画像のいずれかを選択するための操作部材である。後述するように、本実施形態に係わるカメラの撮像素子２２１は、ほぼ正方形状をしており、この撮像素子によって出力される画像データ中から、縦長画像や横長画像の画像データを選択して表示し、記録媒体に記録する。
【００２９】
次に、本実施形態に係わるデジタル一眼レフカメラの電気回路について、図３に示すブロック図を用いて説明する。このデジタル一眼レフカメラは、交換レンズ１００とカメラ本体２００とから構成される。本実施形態では、交換レンズ１００とカメラ本体２００は別体で構成され、通信接点３４１にて電気的に接続されているが、交換レンズ１００とカメラ本体２００を一体に構成することも可能である。
【００３０】
交換レンズ１００の内部には、焦点調節および焦点距離調節用の撮影光学系１０１と、開口量を調節するための絞り１０３が配置されている。撮影光学系１０１は光学系駆動機構１０７によって駆動され、絞り１０３は絞り駆動機構１０９によって駆動される。光学系駆動機構１０７によって駆動された撮影光学系１０１の焦点位置（ピント位置）は、ピント位置検出機構１０５によって、また光学系１０１の焦点距離は、ズーム位置検出機構１０６によって、それぞれ検出される。
【００３１】
光学系駆動機構１０７、絞り駆動機構１０９、ピント位置検出機構１０５、およびズーム位置検出機構１０６は、それぞれレンズＣＰＵ１１１に接続されており、このレンズＣＰＵ１１１は通信接点３４１を介してカメラ本体２００に接続されている。
【００３２】
また、レンズＣＰＵ１１１には、レンズＲＯＭ１１３とレンズＲＡＭ１１５が接続されている。レンズＲＯＭ１１３は、電気的に書き換え可能な不揮発性メモリであり、レンズＣＰＵ１１１を実行させるためのプログラムや、交換レンズ１００の固有情報等が記憶されている。レンズＲＡＭ１１５は、電気的に書き換え可能な揮発性メモリであり、上述のプログラムの実行に当たって使用される一時的な記憶領域である。
【００３３】
レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。また、レンズＣＰＵ１１１は、ピント位置検出機構１０５やズーム位置検出機構１０６によって検出された焦点距離や焦点位置情報をカメラ本体２００に送信する。
【００３４】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。
【００３５】
この可動ミラー２０１の上方には、被写体像を結像するためのフォーカシングスクリーン２０４が配置され、このフォーカシングスクリーン２０４の上方には、全面液晶板（以下、全面ＬＣＤと称す）２０５が配置されている。この全面ＬＣＤ２０５は、部分的に透過と遮光を制御可能であり、フォーカシングスクリーン２０４上に結像した被写体像の内の任意に部分について、被写体像をファインダ光学系に導くことができる。
【００３６】
全面ＬＣＤ２０５の上方には、被写体像を左右反転させるためのペンタプリズム２０７が配置されている。ペンタプリズム２０７の前面側の反射面に沿って、ファインダ内表示装置２０６が配置されている。このファインダ内表示装置２０６は、液晶表示装置等から構成され、後述するように、光学ファインダ像に対して、視野表示や撮影情報等を重畳させて表示する。このファインダ内表示装置２０６は、ファインダ内表示駆動回路２９５に接続されており、これによって駆動制御される。
【００３７】
ペンタプリズム２０７の出射側(図３で右側)には被写体像観察用の接眼レンズ２０９が配置され、この脇であって被写体像の観察に邪魔にならない位置に測光センサ２１１が配置されている。この測光センサ２１１は、測光処理回路２１２に接続され、測光センサ２１１の出力は、この測光処理回路２１２によって増幅処理やアナログ−デジタル変換等の処理がなされる。
【００３８】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図３において破線位置）、ハーフミラー部を覆う位置に回動し、可動ミラー２０１が被写体像観察位置（下降位置）にあるときには、図示する如く可動ミラー２０１に対して開いた位置にある。
【００３９】
この可動ミラー２０１はミラー駆動機構２３９によって駆動されている。また、サブミラー２０３の下方には位相差ＡＦセンサ２４１が配置されており、この位相差ＡＦセンサ２４１の出力は位相差ＡＦ処理回路２４３に接続されている。位相差ＡＦセンサ２４１は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。また、位相差ＡＦセンサ２４１は、撮影画面内の複数ポイントについて、それぞれ焦点検出可能である。
【００４０】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２２１としてはＣＣＤ（Charge Coupled Devices）またはＣＭＯＳ（Complementary Metal Oxide Semiconductor）等の二次元固体撮像素子を使用できることは言うまでもない。
【００４１】
撮像素子２２１は撮像素子駆動回路２２３に接続され、この撮像素子駆動回路２２３によって、撮像素子２２１から画像信号の読出し等が行われる。撮像素子駆動回路２２３は、前処理回路２２５に接続されており、前処理回路２２５は、ライブビュー表示のための画素間引き処理、拡大表示のための切り出し処理等の画像処理のための前処理を行なう。
【００４２】
前述のシャッタ２１３と撮像素子２２１の間には、防塵フィルタ２１５、赤外カットフィルタ・ローパスフィルタ２１７が配置されている。防塵フィルタ２１５の周囲には圧電素子が固定されており、この圧電素子は防塵フィルタ駆動回路２３５によって、超音波で振動する。防塵フィルタ２１５の付着した塵埃は、圧電素子に発生する振動波によって、除塵される。
【００４３】
赤外カットフィルタ・ローパスフィルタ２１７は、被写体光束から赤外光成分と、高周波成分を除去するための光学フィルタである。防塵フィルタ２１５、赤外カットフィルタ・ローパスフィルタ２１７および撮像素子２２１は、塵埃等が侵入しないように気密に一体に構成されている。これら一体化された撮像素子２２１等は、シフト機構２３３によって、撮像素子２２１の撮像面におけるＸ軸方向とＹ軸方向に沿って、それぞれ移動させることができる。
【００４４】
手ブレセンサ２２９は、カメラ本体２００に加えられた手ブレ等による振動を検出する角加速度センサ等であり、この出力は手ブレ補正回路２３０に接続している。手ブレ補正回路２３０は手ブレ等の振動を除去するための手ブレ補正信号を生成し、手ブレ補正回路２３０の出力は、シフト機構駆動回路２３１に接続されている。
【００４５】
シフト機構駆動回路２３１は、手ブレ補正信号を入力し、この信号に基づいて、シフト機構２３３を駆動する。このシフト機構２３３によって、カメラ本体２００に加えられた手ブレ等の振動を打ち消すように、撮像素子２２１等を移動させ、防振を行なう。
【００４６】
傾きセンサ２２７は、３軸回りの角加速度を検出し、カメラ本体２００の傾きに応じた値を出力する。傾き検知回路２２８は、傾きセンサ２２７に接続されており、傾きセンサ２２７の定常状態の値から傾き状態を、また傾きセンサ２２７の変化量から加速度を求め、これらの値を出力する。
【００４７】
光源センサ２４４は、蛍光灯や太陽光など、被写体の環境光の光源を検出するためのセンサである。光源処理回路２４５は、光源センサ２４４に接続され、光源に応じた光源データを出力する。照度センサ２４６は、カメラ２００上での照度を測定するためのセンサである。照度処理回路２４７は、照度センサ２４６に接続され、照度に応じた照度データを出力する。
【００４８】
リモコン受信センサ２４８は、リモコン装置（不図示）からの赤外線等によるリモコン指令を受信するための赤外線センサである。リモコン受信処理回路２４９は、リモコン受信センサ２４８に接続され、このセンサからの信号を入力し、リモコン信号を出力する。
【００４９】
前述の前処理回路２２５は、ＡＳＩＣ（Application Specific
Integrated Circuit  特定用途向け集積回路）２５０内のデータバス２５２に接続されており、このデータバス２５２を介して、ＡＳＩＣ２５０内の各回路に接続されている。また、前処理回路２２５は、コントラストＡＦ回路２５３およびＡＥ回路２５５にも接続されている。
【００５０】
コントラストＡＦ回路２５３は、前処理回路２２５から出力される画像信号に基づいて高周波成分を抽出し、この高周波成分に基づくコントラスト情報をボディＣＰＵ２５１に出力する。なお、コントラストＡＦ回路２５３は、高周波成分を抽出するにあたって、画面内の全領域について、抽出可能である。ＡＥ回路２５５は、前処理回路２２５から出力される画像信号に基づいて、被写体輝度に応じた測光情報をボディＣＰＵ２５１に出力する。
【００５１】
データバス２５２、コントラストＡＦ回路２５３、およびＡＥ回路２５５に接続されているボディＣＰＵ２５１は、フラッシュメモリ２７７に記憶されているプログラムに従って、デジタル一眼レフカメラの動作を制御するものである。
【００５２】
データバス２５２には、ボディＣＰＵ２５１以外に、画像処理回路２５７、圧縮伸張回路２５９、ビデオ信号出力回路２６１、スイッチ検知回路２６８、入出力回路２７１、通信回路２７３、フラッシュメモリ制御回路２７５、ＳＤＲＡＭ制御回路２７９、記録媒体制御回路２８３、ダイアル検知回路２８９が接続されている。
【００５３】
画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２８１に一時記憶された画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００５４】
ビデオ信号出力回路２６１は、ＬＣＤ駆動回路２６３を介して背面ＬＣＤ３９に接続され、また接点３３０ａを介して外部表示装置３３０に接続可能である。このビデオ信号出力回路２６１は、ＳＤＲＡＭ２８１、記録媒体Ａ２８５、記録媒体Ｂ２８７に記憶された画像データを、背面ＬＣＤ３９等に表示するためのビデオ信号に変換するための回路である。背面ＬＣＤ３９は、図２に示すように、カメラ本体２００の背面に配置されるが、撮影者が観察できる位置であれば、背面に限らないし、また液晶に限らず他の表示装置でも構わない。
【００５５】
シャッタレリーズ釦２１の第1ストローク（半押し）を検出する１Ｒスイッチや、第２ストローク（全押し）を検出する２Ｒスイッチ、ライブビュー表示釦３１の操作によってオンするライブビュー表示スイッチを含む各種スイッチ２６９は、スイッチ検知回路２６８を介してデータバス２５２に接続されている。また、各種スイッチ２６９としては、この他にも、メニュー釦３５に連動するメニュースイッチ、再生釦３６に連動する再生スイッチ、縦横釦３７に連動する縦横スイッチ、パワースイッチ３４等、その他の操作部材に連動する各種スイッチ等を含んでいる。
【００５６】
上述の防塵フィルタ駆動回路２３５、シャッタ駆動機構２３７、位相差ＡＦ処理回路２４３、ミラー駆動機構２３９、光源処理回路２４５、照度処理回路２４７、リモコン受信処理回路２４９、傾き検知回路２２８、シフト機構駆動回路２３１、測光処理回路２１２と接続される入出力回路２７１は、データバス２５２を介してボディＣＰＵ２５１等の各回路とデータの入出力を制御する。なお、入出力回路２７１は、後述するＬＣＤ向き検知回路２６５、充電回路３０１、フラッシュ発光回路３０３、発光部３０４、発光部駆動機構３０７、および位置検出センサ３０８にも接続される。
【００５７】
レンズＣＰＵ１１１と通信接点３４１を介して接続された通信回路２７３は、データバス２５２に接続され、ボディＣＰＵ２５１等とのデータのやりとりや制御命令の通信を行う。
【００５８】
フラッシュメモリ制御回路２７５は、フラッシュメモリ（Flash Memory）２７７に接続され、このフラッシュメモリ２７７は、デジタル一眼レフカメラの動作を制御するためのプログラムが記憶されており、前述したように、ボディＣＰＵ２５１はこのフラッシュメモリ２７７に記憶されたプログラムに従ってデジタル一眼レフカメラの制御を行う。なお、フラッシュメモリ２７７は、電気的に書き換え可能な不揮発性メモリである。
【００５９】
ＳＤＲＡＭ２８１は、ＳＤＲＡＭ制御回路２７９を介してデータバス２５２に接続されており、このＳＤＲＡＭ２８１は、画像処理回路２５７によって画像処理された画像データまたは圧縮伸張回路２５９によって圧縮された画像データを一時的に記憶するためのバッファメモリである。
【００６０】
データバス２５２に接続された記録媒体制御回路２８３は、記録媒体Ａ２８５、記録媒体Ｂ２８７に接続され、これらの記録媒体Ａ２８５、Ｂ２８７への画像データ等の記録及び画像データ等の読み出しの制御を行う。
【００６１】
記録媒体Ａ２８５および記録媒体Ｂ２８７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２８５、Ｂ２８７は、同じ種類の記録媒体であって、記憶容量が異なる組み合わせや、また異なる種類の記録媒体の組み合わせ等、組み合わせ方は自由である。
【００６２】
ダイアル検知回路２８９は、前述の前ダイアル２２と後ダイアル２３にそれぞれ接続しており、それぞれのダイアルの回転方向および回転量を検知する。
【００６３】
カメラ本体２００内には、本体内の各回路や各機構等に電源を供給するための電源供給回路２９１が設けられている。この電源供給回路２９１には、内蔵のバッテリ２９２および外部電源２９３が接続可能である。
【００６４】
ＬＣＤ向き検知回路２６５は、背面ＬＣＤ３９の向きを検知する。すなわち、背面ＬＣＤ３９は、その向きを縦位置や横位置に変更することができ、この向きを検知し、入出力回路２７１を介してボディＣＰＵ２５１に伝達される。
【００６５】
前述のコントロールパネル４０には、コントロールパネル駆動回路２９７が接続されており、コントロールパネル駆動回路２９７はボディＣＰＵ２５１に接続されている。ボディＣＰＵ２５１は、コントロールパネル駆動回路２９７を介して、コントロールパネル４０に撮影情報等の表示を行う。
【００６６】
カメラ本体２００内に配置された内蔵フラッシュ５０は、充電回路３０１、フラッシュ発光回路３０３、発光部３０４、発光管３０５、反射傘３０６、発光部駆動機構３０７、および位置検出センサ３０８等から構成される。充電回路３０１はバッテリ２９２または外部電源２９３等より、電源供給を受け、電圧を昇圧し、これを充電する。フラッシュ発光回路３０３は、所定のタイミングで、充電回路３０１によって昇圧された電圧を発光管３０５に印加する等、発光制御を行う。発光部３０４は発光管３０５や反射傘３０６等で構成され、一体に移動可能である。位置検出センサ３０８は、内蔵フラッシュ５０がポップアップ状態にあるか否か、また発光部３０４の位置が縦位置か横位置にあるかを検出する。発光部駆動機構３０７は、発光部３０４を縦位置や横位置に駆動する。
【００６７】
外部フラッシュ３１０は、外付けのフラッシュ装置であり、接点３１０ｂを介して、カメラ本体２００と接続する。この外部フラッシュ３１０はフラッシュ制御用のＣＰＵ（以下、Ｓμｃｏｍ）６３３等（図１０参照）の回路素子を有し、発光管６１２や反射傘６１１等からなる発光部が縦位置と横位置とに移動可能である。外部フラッシュ３１０の詳細な構成については、図５乃至図１０を用いて後述する。
【００６８】
外部機器３２０は、パーソナルコンピュータ（ＰＣ）等の機器であり、接点３２０ａ、通信回路２７３を介して、ボディＣＰＵ２５１と通信を行う。外部表示機器３３０は、テレビ等の表示機器であり、接点３３０ａを通じて、前述のビデオ信号出力回路２６１に接続されている。外部表示機器３３０の内部には、表示装置駆動回路３３１と表示装置３３３が配置されている。ビデオ信号出力回路２６１からのビデオ信号に基づき、表示装置駆動回路３３１は表示装置３３３に記録画像等の表示を行う。
【００６９】
次に、本実施形態における縦横とアスペクト比について、図４を用いて説明する。撮像素子２２１の撮像面はほぼ正方形をしており、撮像素子２２１内であって、かつイメージサークル１２０内において、画像が得られる。このときの縦横の比率をアスペクト比という。本実施形態においては、４：３横長、４：３縦長、１６：９横長、１６：９縦長の４つのアスペクト比を採用している。もちろん、これとは異なるアスペクト比を採用しても構わない。ここで説明したアスペクト比は、後述する図１６（ａ）における設定変更のサブルーチンによって、変更できる。設定されたアスペクト比に基づいて、有効となる画像データ（画像データ出力領域）は、撮像素子駆動回路２２３から出力される画像データの中から、前処理回路２２５や画像処理回路２５７によって、選択される。なお、図中には、１：１正方形のアスペクト比が示されているが、これは、後述する第４実施形態におけるリングフラッシュの場合に使用される。
【００７０】
次に、第１実施形態に係わる外部フラッシュ３１０の構成について、図５乃至図１０を用いて説明する。図５は外部フラッシュ３１０の外観斜視図であり、図６は外部フラッシュ３１０の長手方向の断面図であり、図７は外部フラッシュ３１０全体の分解斜視図であり、図８は回動軸周りの詳細な分解斜視図であり、図９は外部フラッシュ３１０をカメラ本体２００に取り付けた状態での使用状態を示す図であり、図１０は外部フラッシュ３１０の電気回路の構成を示すブロック図である。
【００７１】
外部フラッシュ３１０のフラッシュ本体６０１は、図５に示すように、大きく分けて本体支持部６０２と発光本体部６０３とから構成され、後述するように発光本体部６０３は本体支持部６０２の回転軸６３５（図７参照）に対して回転可能となっている。発光本体部６０３の前面側にはフラッシュ光を集光して照射する発光面６０４が設けられ、また、被写体からの反射光を受光するための受光部６０５が設けられている。また、本体支持部６０２の脚部には、カメラ本体２００に着脱自在に固定し、また電気的接続をとるためのストロボシュー６０６が設けられている。
【００７２】
フラッシュ本体６０１の内部には、図６に示すように、発光面６０４の後方には放物面形状の反射傘６１１が配置され、この反射傘６１１内にはフラッシュ光照射用のキセノン管６１２が配置されている。また、発光面６０４の下側の受光部６０５の背面側には受光素子６０５ａが設けられ、フラッシュ光の被写体からの反射光等の測光を行なう。
【００７３】
反射傘６１１や受光部６０５の後方には、電池室６１３が設けられ、この電池室６１３内には電池６１４が着脱自在に配置されている。この電池室６１３の後方には充電基板６１５が設けられ、その後方にはメインコンデンサ６１６が配置されている。充電基板６１５およびメインコンデンサ６１６によって、電池６１４の電池電圧を昇圧し、キセノン管６１２のトリガ電極にトリガ電圧を印加すると共に、陽極・陰極間に昇圧電圧印加することにより、フラッシュ光を照射することができる。
【００７４】
外部フラッシュ３１０の本体支持部６１２後方の空間内には、フラッシュ制御基板６３１が設けられており、この制御基板６３１上には、フラッシュ制御ＣＰＵ（Ｓμｃｏｍ）６３３等が設けられている。Ｓμｃｏｍ６３３は、カメラ本体２０１内のボディＣＰＵ２５１（図３参照）と通信を行い、外部フラッシュ３１０の制御を行う。
【００７５】
フラッシュ制御基板６３１の後方には、外部フラッシュ３１０の動作表示用の液晶表示パネル（ＬＣＤ）６３２が設けられており、また、その下方には動作指示用の操作釦６３４が配置されている。フラッシュ制御基板６３１には、回動駆動モータ６３０と電気的接続をとるためのコネクタ６２８が設けられており、このコネクタ６２８と回動駆動モータ６３０との間は、モータフレキ６２７によって接続されている。このモータフレキ６２７は、図８に示すように、コネクタ６２８と接続するための接点端６２７ａ、連絡部６２７ｂおよびモータ６３０と接続するためのモータ端子部６２７ｃから構成される。
【００７６】
モータ６３０は、図８に示すように、回転軸６３５の後方に配置されており、モータ６３０の駆動軸はモータピニオンギア６２９ｂに固着されており、モータピニオンギア６２９ｂはモータ６３０によって回転駆動される。また、モータピニオンギア６２９ｂには、これと一体に回転するインタラプタ６２９ａが設けられており、このインタラプタ６２９ａには、等間隔に孔が配列されている。インタラプタ６２９ａの近傍には発光素子と受光素子からなるフォトインタラプタ６２９が設けられており、このフォトインタラプタ６２９は、モータフレキ６２７によって前述のＳμｃｏｍ６３３に接続されている。このインタラプタ６２９ａとフォトインタラプタ６２９によって孔の動きを検出でき、これからモータ６３０の回転量をカウントすることができる。
【００７７】
回転軸６３５内の空間には減速機６２４を構成するギアトレイン６３９が配置されており、モータピニオンギア６２９ｂの回転をギアＡ６３９ａ、ギアＢ６３９ｂ等を介して駆動ギア６２１に伝達する。この駆動ギア６２１は、発光本体部６０３内の歯車６１７（図６、図７参照）と噛合しており、これによって発光本体部６０３を本体支持部６０２に対して回動させる。
【００７８】
回転軸６３５の筒体は摺動リングＢ６２６に嵌合している。この摺動リングＢ６２６の鍔面（フランジ）は本体支持体６０２ａに当接し、摺動リングＢ６２６の外側の摺動面６２６ａは、フラッシュ回転体６０７の嵌合孔６０７ａ内に緩挿される。回転軸６２５を緩挿したフラッシュ回転体６０７の前面側には、摺動リングＡ６２５が嵌合孔６０７ａ内に緩挿され、その前面側に抜け止め用の止め円板６２３が配置設けられている。この止め円板６２３に設けられた孔６２３ａ、６２３ｂ、６２３ｃと、回転軸６３５に設けられた受け孔６３５ａ、６３５ｂ、６３５ｃは、ネジ６３７ａ、６３７ｂ、６３７ｃによって螺合している。
【００７９】
フラッシュ回転体６０７と本体支持体６０２ａの間には、電気的接続をとるためのケーブルフレキ６１８が配置されている（図６および図７参照）。ケーブルフレキ６１８は、本体支持体６０２ａとの接点端子６１８ａと、フラッシュ回転体６０７との接点端子６１８ｃ、および屈曲部６１８ｂとから構成されている。このケーブルフレキ６１８の円弧部は、本体支持体６０２ａのフレキケーブル溝６３６内に収納されている。
【００８０】
このようにフラッシュ本体６０１は構成されているので、回転駆動モータ６３０が回転すると、モータピニオンギア６２９ｂ、ギアトレイン６３９を介してモータの駆動力が、フラッシュ回転体６０７内の歯車６１７に伝達される。このため、発光部本体６０３は本体支持体６０２ａ内の回転軸６３５を回動中心として、時計回りまたは反時計回りに回動する。したがって、外部フラッシュ３１０の本体発光部６０３は、図９（Ａ）に示すように、横位置にある場合と、図９（Ｂ）に示すように、縦位置にある場合とに切り換えることができる。
【００８１】
次に、外部フラッシュ３１０のフラッシュ本体６０１内の電気回路について、図１０を用いて説明する。フラッシュ本体６０１内の本体支持部６０２内には、カメラ本体２００の接点通信コネクタに嵌合し、通信回路２７３を介してボディＣＰＵ２５１と電気接続をとるための接点３１０ｂが設けられている。この接点３１０ｂは、フラッシュ本体６０１内の電気的制御を行うフラッシュ制御用マイクロコンピュータ（Ｓμｃｏｍ）６３３が接続されている。このＳμｃｏｍ６３３は、駆動モータ６３０を駆動するためのドライバ回路６５２に接続しており、また、前述のフォトインタラプタ６２９にも接続している。
【００８２】
また、Ｓμｃｏｍ６３３は、ケーブルフレキ６１８を介して、発光本体部６０３内の発光回路６６１、充電回路６６２、充電電圧検知回路６６３が接続されている。充電回路６６２はフラッシュ本体６０１内に装填されている電池６１4の電圧を昇圧し、メインコンデンサ６１６に充電する。この充電電圧を充電電圧検知回路６６３が検知し、カメラ本体２００内のボディＣＰＵ２５１からの要求に応じて充電電圧情報を伝達する。そして、ボディＣＰＵ２５１から発光開始指令をＳμｃｏｍ６３３が受けると、発光回路６６１に対してトリガ信号を送信し、充電回路６６２充電された高圧電圧をキセノン管６１２に印加し、フラッシュ発光を開始させる。
【００８３】
また、ボディＣＰＵ２５１と通信を行い、カメラ本体２００において設定された縦横位置やアスペクト比に関する情報を受けると、縦横位置やアスペクト比情報に基づいて発光本体部６０３の姿勢制御を行なう。すなわち、カメラ本体２００において縦位置が設定されると、発光本体部６０３を回動させるために駆動モータ６３０の回転を開始させ、フォトインタラプタ６２９の出力信号に基づいて、図９（Ｂ）に示す位置に達したことを検知すると、駆動モータ６３０の回転を停止する。
【００８４】
また、カメラ本体２００において設定された縦横位置が、横位置に変化した場合に、この情報を受けると、駆動モータ６３０の回転を開始させ、フォトインタラプタ６２９の出力信号に基づいて、図９（Ａ）に示す位置に達したことを検知すると、駆動モータ６３０の回転を停止する。
【００８５】
次に、内蔵フラッシュ５０の構造について、図１１および図１２を用いて説明する。図１１および図１２は、内蔵フラッシュ５０がポップアップした状態の斜視図であり、図１１は発光管３０５が横位置にある場合を示し、図１２は発光管３０５が縦位置にある場合を示す。
【００８６】
内蔵フラッシュ本体６７１の先端側には、発光管３０５および反射傘３０６等が一体に構成された発光部３０４が配置されている。この発光部３０４は、発光部駆動機構３０７の一部を構成するステップモータ６７３によって、図１１に示す横位置と図１２に示す縦位置に駆動可能である。
【００８７】
内蔵フラッシュ本体６７１の基端側には、軸６７４が両側に設けられており、この軸６７４は、カメラ本体２００の嵌合部２００ａに設けられた受け部６７６に回動自在に嵌め込まれる。この受け部６７６と軸６７４の間には、つるまきばね６７５の両端が係合しており、このつるまきばね６７５は内蔵フラッシュ本体６７１をポップアップさせる方向に付勢している。図示しない係合部材によって本体６７１は、係止されており、この係止を解除することにより、内蔵フラッシュ本体６７１はつるまきばね６７５の付勢力によってポップアップする。また、内蔵フラッシュ本体６７１には、図１２に示すように、位置検出センサ３０８が配置されており、この位置検出センサ３０８は、発光部３０４が縦位置にあるか横位置にあるかを検出する。
【００８８】
次に、外部フラッシュ３１０および内蔵フラッシュ５０の配光特性について、図１３を用いて説明する。図１３（Ａ）はフラッシュを横位置に設定している場合の配光特性を示す。すなわち、外部フラッシュ３１０の発光本体部６０３を、図９（Ａ）に示すように横位置に回動させ、または内蔵フラッシュ５０の発光部３０４を図１１に示すように、横位置に回動させた状態である。この状態では、図１３（Ａ）に示すように、フラッシュ配光６８１は横長に伸びた状態となる。この場合には、後述するように、撮像素子２２１の画像データ出力領域６８３は横長画像となるように設定される。
【００８９】
図１３（Ｂ）はフラッシュを縦位置に設定している場合の配光特性を示す。すなわち、外部フラッシュ３１０の発光本体部６０３を、図９（Ｂ）に示すように縦位置に回動させ、または内蔵フラッシュ５０の発光部３０４を図１２に示すように、縦位置に回動させた状態である。この状態では、図１３（Ｂ）に示すように、フラッシュ配光６８１は縦長に伸びた状態となる。この場合には、後述するように、撮像素子２２１の画像データ出力領域６８３は縦長画像となるように設定される。
【００９０】
次に、本実施形態における動作について、図１４ないし図１７に示すフローチャートを用いて説明する。
【００９１】
図１４は、カメラ本体２００側のボディＣＰＵ２５１によるパワーオンリセットの動作である。カメラ本体２００にバッテリ２９２が装填され、または外部電源２９３が接続されると、このフローがスタートする。まずカメラ本体２００のパワースイッチ３４がオンであるかを判定する（＃１）。判定の結果、パワースイッチ３４がオフの場合には、低消費電力の状態であるスリープ状態となる（＃３）。
【００９２】
このスリープ状態ではパワースイッチ３４がオンとなった場合のみに割り込み処理を行い、ステップ＃５以下においてパワーオンのための処理を行う。パワースイッチ３４がオンとなるまでは、パワースイッチ割り込み処理以外の動作を停止し、電源電池の消耗を防止する。
【００９３】
ステップ＃１において、パワースイッチ３４がオンであった場合、またはステップ＃３におけるスリープ状態を脱した場合には、電源供給を開始する（＃５）。次に、防塵フィルタ２１５における塵埃除去動作を行う（＃７）。このステップでは、防塵フィルタ２１５に固着された圧電素子に防塵フィルタ駆動回路２３５から駆動電圧を印加し、超音波振動波によって塵埃等を除去する。
【００９４】
次に、前ダイアル２２や後ダイアル２３等によって設定された撮影モードや、ＩＳＯ感度、マニュアル設定されたシャッタ速度や絞り値等の情報があればそれらの撮影モードや撮影条件の読み込みを行う（＃９）。なお、このときに、併せて、レンズＣＰＵ１１１から通信回路２７３を介して交換レンズ１００の開放絞り、焦点距離情報等のレンズ情報の読み込みも行う。
【００９５】
撮影モード等の読み込みを行うと、次に、ライブビューを行っているか否かの判定を行う（＃１１）。本実施形態に係わるデジタル一眼レフカメラのライブビュー表示は、ＬＶ表示釦３１が一度操作されると、ライブビュー表示モードに設定され、再度操作されると、ライブビュー表示モードが解除される。
【００９６】
ステップ＃１１における判定の結果、ライブビュー表示モードでなかった場合には、すなわち、光学ファインダ表示モードの場合には、ファインダ測光（Ｆ測光）および露出量演算を行う（＃１３）。ライブビュー表示モードでない場合には、可動ミラー２０１は下降状態にあり、撮影光学系１０１を通過した被写体光束をペンタプリズム２０７等のファインダ光学系に反射している。このため、測光素子２１１に被写体光束が入射し、測光を行うことができる。
【００９７】
ファインダ測光によって測光を行うと、このとき得た被写体輝度に基づいて適正露光を得るための絞り値やシャッタ速度等の露出量の演算を行う。なお、露出量の演算にあたっては、ステップ＃９において設定されていた撮影モードや撮影条件に従って行う。
【００９８】
露出量の演算を行うと、次に、ファインダ表示を行う（＃１５）。ファインダ表示は、ファインダ内表示装置２０６によって行い、設定されている縦横とアスペクト比に応じた撮影範囲や、また演算または手動設定された絞り値やシャッタ速度等の撮影条件が表示される。また、演算された露出量に基づく絞り値やシャッタ速度値、またはこれらの手動設定値は、コントロールパネル４０にも表示される。
【００９９】
続いて、ライブビュー表示の消灯を行う（＃１７）。ライブビュー表示モードから光学ファインダ表示モードに切り替わった際には、ここで、ライブビュー表示の消灯を行う。なお、ライブビュー表示モードが解除され光学ファインダ表示を繰り返し行っている場合には、ライブビュー表示は消灯されているので、このステップをスキップする。
【０１００】
ステップ１１における判定の結果、ライブビュー表示モードに設定されている場合には、可動ミラー２０１の退避を行い（＃３１）、シャッタ２１３を開放する（＃３３）。ライブビュー表示モードでは、撮像素子２２１からの画像データに基づいて、被写体像を背面ＬＣＤ３９に表示するので、撮像素子２２１上に被写体像が形成されるように、可動ミラー２０１を退避し、シャッタ２１３を開放する。なお、ライブビュー表示開始後は、このステップ＃３１、＃３３をスキップする。
【０１０１】
続いて、イメージャー測光（Ｉ測光）および露出量の演算を行う（＃３５）。ライブビュー表示モードに入ると、可動ミラー２０１は撮影光学系１０１の光路から退避し、測光素子２１１には、被写体光束が入射しない。そこで、撮像素子２２１からの画像データに基づいて、ＡＥ回路２５５によって被写体輝度の測定を行う。
【０１０２】
ここで測定された被写体輝度に基づいて、適正露光を得るための絞り値やシャッタ速度等の露出量の演算を行う。なお、露出量の演算にあたっては、ステップ＃１３と同様、ステップ＃９において設定されていた撮影モードや撮影条件に従って行う。また、ここで演算された露出量に基づく絞り値やシャッタ速度値、またはこれらの手動設定値は、背面ＬＣＤ３９やコントロールパネル４０に表示される。
【０１０３】
続いて、ライブビュー表示を行う（＃３７）。ライブビュー表示は、撮像素子２２１からの画像データに基づき、前処理回路２２５や画像処理回路２５７によって、画素数を間引く等の画像処理を行い、被写体像を背面ＬＣＤ３９に動画表示する。撮像素子２２１から画像データの読み出しを行うたびに、被写体像の更新を行う。
【０１０４】
ライブビュー表示を行うと、次に、ファインダ表示の消灯を行う（＃３９）。光学ファインダ表示モードからライブビュー表示モードに切り替わった際には、ここで、ファインダ表示の消灯を行う。なお、ライブビュー表示モードに切り替わり、ライブビュー表示を繰り返し行っている場合には、ファインダ表示は消灯されているので、このステップはスキップする。
【０１０５】
ステップ＃１７におけるライブビュー表示を消灯すると、またはステップ＃３９におけるファインダ表示を消灯すると、操作部材による操作がなされたか否かの判定を行う（＃１９）。このステップでは、スイッチ検知回路２６８によって、１Ｒスイッチ、設定スイッチ（メニュースイッチ）、再生スイッチ、パワースイッチのいずれかのスイッチが操作されたか否かを判定する。
【０１０６】
ステップ＃１９における判定の結果、操作がなかった場合には、ステップ＃１１に戻り、前述の動作を実行する。一方、判定の結果、操作がなされていた場合には、次に、レリーズ釦２１が半押しされたか否か、すなわち１Ｒスイッチがオンか否かの判定を行う（＃２１）。
【０１０７】
ステップ＃２１における判定の結果、１Ｒスイッチがオンであった場合には、撮影準備と撮影を行う撮影動作のサブルーチンを実行する（＃４１）。このサブルーチンの詳細は図１５を用いて後述する。
【０１０８】
ステップ＃２１における判定の結果、１Ｒスイッチがオンでなかった場合、または、ステップ＃４１における撮影動作を実行した場合には、次に、設定スイッチがオンか否かの判定を行う。このステップでは、メニュー釦（設定釦）３５等が操作され、メニューモード（設定モード）に設定されたか否かの判定を行う。
【０１０９】
ステップ＃２３における判定の結果、メニューモード（設定モード）であった場合には、設定変更を行う（＃４３）。この設定変更のサブルーチンでは、アスペクト変更モード等の種々のモード等を設定でき、設定されたメニューに従って種々の処理を行う。このサブルーチンの詳細については、図１６を用いて後述する。
【０１１０】
設定変更を行うと、次に、外部フラッシュが装着されているか否かの判定を行う（＃４４）。ここでは、接点３１０ｂを通じて、外部フラッシュ３１０のＳμｃｏｍ６３３と通信を行うことができるか否か等により、外部フラッシュが装着されているか否かの判定を行う。この判定の結果、外部フラッシュが装着されていた場合には、次に、フラッシュ通信を行う（＃４５）。ここでは、例えば、絞り値情報や、被写体距離情報、発光本体部６０３を縦位置または横位置のいずれに設定するか等について、通信を行う。なお、縦位置または横位置は、ステップ＃４３の設定変更において設定された位置である。この通信に基づいて、外部フラッシュ３１０は発光本体部６０３を縦位置もしくは横位置に移動させる。外部フラッシュ３１０における縦位置または横位置の移動については、後述する図１７に示すフローの中で行う。
【０１１１】
ステップ＃４４における判定の結果、外部フラッシュが装着されていなかった場合には、次に、内蔵フラッシュ５０がポップアップしているか否かの判定を行う（＃４６）。すなわち、ここでは、位置検出センサ３０８からの検知信号に基づいて、内蔵フラッシュ５０がポップアップ状態にあるか否かの判定を行う。この判定の結果、内蔵フラッシュ５０がポップアップ状態であった場合には、次に、縦横駆動を行う（＃４７）。ここでは、ステップ＃４３において設定された縦位置または横位置に応じて、内蔵フラッシュの５０の発光部３０４を縦位置または横位置に移動させる。
【０１１２】
ステップ＃４５におけるフラッシュ通信を行うと、またはステップ＃４６における判定の結果、ポップアップしていなかった場合、またはステップ＃４７における縦横移動を行うと、または、ステップ＃２３における判定の結果、設定スイッチがオンでなかった場合には、次に、再生スイッチがオンか否かの判定を行う（＃２５）。この判定の結果、再生スイッチがオンであった場合には、再生動作を実行する（＃４８）。再生動作では、記録媒体Ａ２８５または記録媒体Ｂ２８７に記録されている画像データを読み出し、背面ＬＣＤ３９または外部表示装置３３０等に再生表示する。
【０１１３】
ステップ＃２５における判定の結果、再生スイッチがオンでなかった場合、または、ステップ＃４８における再生動作のサブルーチンを実行すると、次に、パワースイッチ３４がオンか否かの判定を行う（＃２７）。この判定の結果、パワースイッチ３４がオンであった場合には、ステップ＃１１に戻り、前述の動作を実行する。
【０１１４】
一方、ステップ＃２７における判定の結果、パワースイッチがオンではなかった場合には、電源供給を停止し（＃２９）、ステップ＃３に戻り、前述のスリープ状態となる。
【０１１５】
次に、ステップ＃４１における撮影動作のサブルーチンについて、図１５に示すフローチャートを用いて説明する。
【０１１６】
撮影動作のサブルーチンに入ると、まず、ステップ＃１１と同様にライブビュー表示モードか否かの判定を行う（＃５１）。この判定の結果、ライブビュー表示モードでなかった場合には、位相差ＡＦのサブルーチンを実行する（＃５３）。この位相差ＡＦのサブルーチンでは、撮影光学系１０１の周辺を通過した２光束を用いて公知の位相差法に基づいて、撮影光学系１０１の焦点ズレ方向および焦点ズレ量を検出する。そして、この検出された焦点ズレ方向および焦点ズレ量を用いて、撮影光学系１０１を合焦位置に駆動する。
【０１１７】
位相差ＡＦが終わると、次に、ステップ＃１３と同様にファインダ測光および露出量演算を行う（＃５５）。ここで演算された露出量に基づく絞り値やシャッタ速度値、またはこれらの手動設定値は、ファインダ内表示装置２０６やコントロールパネル４０に表示される。
【０１１８】
ステップ＃５１における判定の結果、ライブビュー表示モードであった場合には、イメージャーＡＦのサブルーチンを実行する（＃５７）。ライブビュー表示モードでは、可動ミラー２０１が撮影光学系１０１の光路から退避位置にあり、位相差ＡＦによる測距を行うことができない。そこで、撮像素子２２１からの画像データに基づいて、イメージャーＡＦを行う。このイメージャーＡＦのサブルーチンでは、コントラストＡＦ回路２５３から出力される画像データの高周波成分がピーク値となるように、撮影光学系１０１の駆動制御を行う。
【０１１９】
イメージャーＡＦを行うと、次に、ステップ＃３５と同様にイメージャー測光および露出量演算を行う（＃５９）。ここで演算された露出量に基づく絞り値やシャッタ速度値、またはこれらの手動設定値は、背面ＬＣＤ３９やコントロールパネル４０に表示される。
【０１２０】
ステップ＃５５におけるファインダ測光および露出量演算、またはステップ＃５９におけるイメージャー測光を行うと、次に、レリーズ釦２１が全押しされたか否か、すなわち２Ｒスイッチがオンか否かを判定する（＃６１）。この判定の結果、２Ｒスイッチがオンでなかった場合には、１Ｒスイッチがオンか否かの判定を行う（＃６２）。
【０１２１】
このステップ＃６２における判定の結果、１Ｒスイッチがオンでなければ、レリーズ釦２１から撮影者の指が離れたことから、撮影動作のサブルーチンを終了し、元のフローに戻る。一方、ステップ＃６２における判定の結果、１Ｒスイッチがオンであった場合には、少なくとも撮影者の指がレリーズ釦２１にかかっていることから、ステップ＃６１に戻り、このステップとステップ＃６２を交互に判定する待機状態となる。
【０１２２】
ステップ＃６１における判定の結果、２Ｒスイッチがオンとなると、レリーズ釦２１が全押しされ、露光動作に移る。まず、ステップ＃４４と同様に、外部フラッシュ３１０が装着されているか否かの判定を行う（＃６３）。この判定の結果、外部フラッシュ３１０が装着されていた場合には、次に、フラッシュ発光準備要求通信を行う（＃６４）。ここでは、カメラ本体２００内のボディＣＰＵ２５１から接点３１０ｂを通じて、Ｓμｃｏｍ６３３にフラッシュ発光準備要求信号を送信する。続いて、発光量演算を行う（＃６５）。ここでは、被写体までの距離や絞り値等に基づいて、適正露光量となる外部フラッシュ３１０の発光量の演算を行う。
【０１２３】
発光量の演算を行うと、次に、外部フラッシュ３１０との通信を行う（＃６６）。ここでは、演算された発光量を外部フラッシュ３１０に送信する。この通信を行うと、またはステップ＃６３における判定の結果、外部フラッシュ３１０が装着されていなかった場合には、次に、ステップ＃１１、＃５１と同様に、ライブビュー表示モードか否かの判定を行う（＃６７）。この判定の結果、ライブビュー表示モードでなかった場合には、可動ミラー２０１の退避を行う（＃６８）。ライブビュー表示モードでない場合、すなわち光学ファインダ表示モードの場合には、可動ミラー２０１が下降位置にあるので、撮像素子２２１に被写体光束に導くために、可動ミラー２０１を退避させる。
【０１２４】
一方、ステップ＃６７における判定の結果、ライブビュー表示モードであった場合には、シャッタ２１３の閉じ動作を行う（＃９１）。ライブビュー表示モードの場合には、可動ミラー２０１は退避位置にあり、シャッタ２１３は開放のままである。露光動作を実行するにあたって、シャッタ２１３をチャージする必要があることから、一旦、シャッタ２１３の閉じ動作を行う。
【０１２５】
ステップ＃６８の可動ミラー退避、またはステップ＃９１のシャッタ閉を行うと、次に、絞り１０３の絞り込み動作を行う（＃６９）。このステップでは、露出量演算に基づいて求められた絞り値または手動設定された絞り値となるように、レンズＣＰＵ１１１に対して、絞り込み指示を行う。
【０１２６】
続いて、露出動作を行う（＃７１）。このステップでは、シャッタ２１３の先幕を走行させると共に、撮像素子２２１において電荷蓄積を開始する。そして、所定時間が経過すると、シャッタ２１３の後幕を走行させると共に、撮像素子２２１における電荷蓄積を終了する。また、シャッタ２１３の先幕走行時または後幕走行時等に、外部フラッシュ３１０や内蔵フラッシュ５０に発光開始信号を送信し、同調発光を行う。
【０１２７】
露出動作が終了すると、次に、絞り１０３の開放を行う（＃７３）。すなわち、ボディＣＰＵ２５１は、レンズＣＰＵ１１１に対して、絞り１０３が開放絞り値となるように指示を送信する。
【０１２８】
絞りを開放にすると、次に、ステップ＃１１、＃５１、＃６７と同様に、ライブビュー表示モードか否かの判定を行う（＃７５）。この判定の結果、ライブビュー表示モードでなかった場合には、可動ミラー２０１の復帰を行う（＃７７）。すなわち、ステップ＃６８において可動ミラー２０１は撮影光学系１０１の光路から退避していたので、光路中に挿入するように下降させる。
【０１２９】
一方、ステップ＃７５における判定の結果、ライブビュー表示モードであった場合には、シャッタ２１３の開放を行う（＃９３）。すなわち、ライブビュー表示を再開するために、撮影光学系１０１からの被写体光束を撮像素子２２１に導くべく、シャッタ２１３の先幕を走行させ、シャッタを開放する。
【０１３０】
ステップ＃７７における可動ミラー復帰、またはステップ＃９３におけるシャッタ開を行うと、次に、画像の読み出しを行う（＃７９）。このステップでは、撮像素子駆動回路２２３によって、撮像素子２２１から画像信号の読み出しを行う。
【０１３１】
続いて、画像処理を行う（＃８１）。すなわち、撮像素子２２１から読み出された画像信号を前処理回路２２５、画像処理回路２５７や圧縮伸張回路２５９等によって種々の画像処理を行う。なお、設定変更のサブルーチン（図１６参照）によって、設定されたアスペクト比に基づく画像データ出力領域の画像データが、前処理回路２２５、画像処理回路２５７等によって選択され、画像処理される。
【０１３２】
画像処理を行うと、次に、画像記録を行う（＃８３）。画像記録は、画像処理された画像データ出力領域の画像データを、記録媒体制御回路２８３によって、記録媒体Ａ２８５または記録媒体Ｂ２８７に記録する。この画像記録が終わると、元のフローに戻る。
【０１３３】
次に、ステップ＃４３における設定変更のサブルーチンについて、図１６（ａ）に示すフローチャートを用いて説明する。メニューモードにおいて、種々の設定変更を行うことができるが、図１６（ａ）に示すフローチャートは、その一部のみを示している。
【０１３４】
すなわち、図１６（ａ）に示すフローは、上位の設定変更のフローによって、十字釦３２や縦横釦３７等の操作部材の操作によってアスペクト比を変更するモードが選択された場合を示す。
【０１３５】
図１６（ａ）に示す設定変更のフローに入ると、まず、アスペクト変更操作がなされたか否かの判定を行う（＃１０１）。このアスペクト変更操作は、背面ＬＣＤ３９のメニュー画面上において、十字釦３２を操作することによりアスペクト変更を選択し、さらに、ＯＫ釦３３によってこの選択したアスペクト比を決定することにより行う。
【０１３６】
ステップ＃１０１における判定の結果、アスペクト設定変更であった場合には、アスペクト設定変更が行われる（＃１０３）。すなわち、十字釦３２のうちの右側十字釦が操作されるたびに、図１６（ｂ）に示すように、アスペクト比が、４：３、３：２、１６：９と順次、変更される。なお、左側十字釦が操作されると、これとは逆の順番で変更される。
【０１３７】
ステップ＃１０３におけるアスペクト設定変更が終了すると、またはステップ＃１０１における判定の結果、アスペクト変更操作がなされていなかった場合には、次に、縦横位置変更操作がなされたか否かの判定を行う（＃１０５）。このステップでは、縦横釦３７が操作されたか否かを判定する。
【０１３８】
ステップ＃１０５における判定の結果、縦横位置変更操作がなされた場合には、縦横設定変更を行う（＃１０７）。ここでは、図１６（ｂ）に示すように、４：３横長に設定されていた場合には、３：４縦長に設定変更を行う。また、３：２横長に設定されていた場合には、２：３縦長に、１６：９横長に設定されていた場合には、９：１６縦長に設定変更を行う。
【０１３９】
ステップ＃１０７における設定変更を行うと、またはステップ＃１０５における判定の結果、縦横位置変更操作がなされていなかった場合には、元のフローに戻る。
【０１４０】
次に、外部フラッシュ３０１の動作について図１７に示すフローチャートを用いて説明する。まず、フラッシュ本体６０１に電源電池が装填されると、図１７に示すパワーオンリセットのルーチンを開始し、初期設定を行なう（＃６５１）。初期設定は、各種フラグ等の設定値を初期化すると共に、発光本体部６０３を本体支持部６０２に対する初期位置に駆動する。初期設定が終わると、次に、外部フラッシュ３１０の電源スイッチの状態を検出し、パワースイッチがオンか否かの判定を行なう（＃６５３）。パワーオフ時は、ステップ＃６５３の判定を繰り返す待機状態となる。
【０１４１】
続いて、カメラ本体２００との通信を行なう（＃６５５）。この通信において、カメラ本体２００側から充電状態等の信号送信要求があれば、充電状態を検出し送信を行なう。また、ステップ＃４３における設定変更のサブルーチン中において、縦横位置が設定され、カメラ本体２００側から縦横位置情報が送信されてきた場合には、この縦横位置情報を受信する。続いて、フラッシュの充電動作を開始させる（＃６５７）。発光用のメインコンデンサ６１６が所定の充電電圧になるまで、繰り返しこの処理を行なう（＃６５３〜＃６６５）。
【０１４２】
次に、カメラ通信で受信したカメラのアスペクトが縦位置であるか横位置であるかを判定する（＃６５９）。判定の結果、カメラのアスペクトが縦位置に設定された場合には、発光本体部６０３を９０度または−９０度の位置にする（＃６６１）。これは、図９（Ｂ）に示すように、カメラが横位置にあり、画像データ出力領域を縦位置に設定した場合であり、発光本体部６０３を９０度または−９０度に回動させている。また、ステップ＃６５９における判定の結果、カメラのアスペクトが横位置にある場合には、発光本体部６０３を０度の位置にする（＃６６３）。これは、図９（Ａ）に示すように、カメラが横位置にあり、画像データ出力領域を横位置に設定した場合であり、発光本体部６０３を０度の位置に回動させている。なお、縦位置または横位置に変化がない場合には、発光部はそのままの位置を維持し、次のステップに移る。
【０１４３】
ステップ＃６６１また＃６６３における発光部の移動が終わると、次に、発光準備要求か否かの判定を行なう（＃６６５）。この判定は、ステップ＃６５５において行ったカメラ通信の際に、カメラから発光準備要求がなされているかを判定するものである。前述したように、カメラの２Ｒスイッチがオンとなると、ステップ＃６４において発光準備要求信号を外部フラッシュ３１０に送信するので、この信号を受信したか否かの判定を行なっている。
【０１４４】
ステップ＃６６５における判定の結果、発光準備要求を受信していない場合には、ステップ＃６５３に戻り、前述のステップを繰り返す。一方、発光準備要求を受信している場合には、絞り情報、被写体距離情報から発光量を演算する（＃６６７）。前述したように、カメラで測光と露出量演算が終わると、フラッシュ通信をステップ＃４５において行い、このときに絞り情報と被写体距離情報が送信されてくるので、これらの情報を用いてフラッシュマチック方式による発光量を演算する。
【０１４５】
続いて、カメラ本体２００から発光信号が送信されてきたかを判定する（＃６６９）。カメラ本体２００は、ステップ＃７１において、シャッタ２１３の先幕の走行が終了すると、発光信号を送信してくるので、この信号を受信したか否かの判定を行なう。発光信号を受信すると、フラッシュ発光を行なう（＃６７１）。フラッシュ発光は、前述したようにＳμｃｏｍ６３３から発光回路６６１にトリガ信号を送信することにより開始する。フラッシュ発光が終了すると、ステップ＃６５３に戻る。
【０１４６】
このように、本発明の第１実施形態によれば、フラッシュ装置の発光部の位置を移動できるように構成すると共に、カメラ本体において設定された縦横位置に基づいて、発光部の位置を移動させている。すなわち、撮像素子２２１からの画像データ出力領域に応じて、フラッシュ装置の発光部の配光特性を変化させている。このため、画像データ出力領域が横長の場合には、フラッシュ装置の発光部の配光特性も図１３（Ａ）に示すように横長となり、一方、画像データ出力領域が縦長の場合には、フラッシュ装置の発光部の配光特性も図１３（Ｂ）に示すように縦長となる。
【０１４７】
また、本実施形態においては、アスペクト比や縦横位置を変更することができる。縦横位置やアスペクトを変更すると、この設定に応じて、前処理回路２２５や画像処理回路２５７は、撮像素子２２１から読み出された画像データの有効範囲を変更する。このため、再生装置の画面の縦横位置やアスペクト比に応じた画面で撮影することができる。また、被写体にあったフレームで撮影することが可能となる。
【０１４８】
なお、本実施形態においては、アスペクト変更操作は設定画面（メニュー画面）で行い、また縦横位置の変更は縦横釦３７の操作によって行っていた。しかし、これに限らず、両変更共、操作釦を設け、これによって行ってもよく、逆に、操作釦を設けずに両操作共、設定画面（メニュー画面）で設定するようにしても勿論かまわない。また、操作部材によってアスペクト比や縦横を変更する以外にも、例えば、傾きセンサ２２７の検知出力に基づき、カメラ本体２００を振る動作に応じて、変更するようにしても良い。
【０１４９】
次に、本発明の第２実施形態について、図１８乃至図２２を用いて説明する。本発明の第１実施形態は、カメラ本体２００において設定された画像データ出力領域が縦位置か横位置に応じて、内蔵フラッシュ５０や外部フラッシュ３１０の配光特性を変更していた。これに対して、第２実施形態においては、内蔵フラッシュ５０や外部フラッシュ３１０の配光を変更するとそれに合わせて画像データ出力領域の縦位置や横位置を変更するようにしている。
【０１５０】
第２実施形態の構成は、第１実施形態における構成とほぼ同様であり、ただ、第１実施形態においては、外部フラッシュ３１０内にモータ６３０を設け、モータ６３０の駆動力によって発光部を回動させていたが、第２実施形態においては、モータ６３０を省略し、手動で発光部を回動させるようにしている点で相違する。同様に、内蔵フラッシュ５０の内部に配置したステップモータ６７３を省略し、手動で発光部を回動させられるようにした点が相違する。
【０１５１】
また、図１６（ａ）に示した設定変更のフローを、図２１に示す設定変更のフローに置き換える点で相違する。同様に、図１７に示した外部フラッシュ３１０におけるパワーオンリセットのフローを、図２２に示したパワーオンリセットのフローに置き換える点で相違する。
【０１５２】
これらの相違点を中心に、以下、第２実施形態について説明する。図１８は外部フラッシュ３１０をカメラ本体２００に取り付けた状態での使用状態を示す図である。図９に示した第１実施形態においては、フラッシュ本体６０１が回転駆動モータ６３０によって駆動され、発光本体部６０３を縦位置と横位置に切り換えることができた。第２実施形態においては、回転駆動モータ６３０を省略しており、発光本体部６０３は手動で縦位置と横位置に切り換えるようにしている。すなわち、図１８（Ａ）に示すような横位置にある状態において、ユーザが手動で発光本体部６０３を回動させることにより、図１８（Ｂ）に示すような縦位置に切り換えることができる。同様に、図１８（Ｂ）に示すような縦位置から、ユーザが手動で発光本体部６０３を回動させることにより、図１８（Ａ）に示すような横位置に切り換えることができる。なお、外部フラッシュ３１０内には、図示しない位置検出センサが設けてあり、発光本体６０３が縦位置にあるか横位置にあるかを検知可能である。
【０１５３】
図１９および図２０は、内蔵フラッシュ５０がポップアップした状態の斜視図であり、図１９は発光管３０５が横位置にある場合を示し、図２０は発光管３０５が縦位置にある場合を示す。第１実施形態においては、ステップモータ６７３を配置し、このステップモータ６７３によって発光部３０４の縦位置と横位置をモータ駆動で切り換えていた。第２実施形態においては、このステップモータ６３７を省略し、ユーザが手動で縦横位置を切り換えるようにしている。すなわち、図１９に示すような横位置から、ユーザが手動で発光部３０４を回動させることにより、図２０に示すような縦位置に切り換えることができる。同様に、図２０に示すような横位置から、ユーザが手動で発光部３０４を回動させることにより、図１９に示すような縦位置に切り換えることができる。
【０１５４】
次に、本実施形態における設定変更のサブルーチンについて、図２１に示すフローチャートを用いて説明する。本実施形態における設定変更のサブルーチンは、第１実施形態における設定変更のサブルーチンにおいて、ステップ＃１０４Ａ〜＃１０４Ｅを追加したものであるので、この追加部分を中心に説明する。
【０１５５】
ステップ＃１０１および＃１０３において、アスペクト変更操作がなされていた場合には、アスペクト設定変更を行う。このあと、ステップ＃４４および＃６３と同様に、外部フラッシュ３１０が装着されているか否かの判定を行う（＃１０４Ａ）。この判定の結果、外部フラッシュ３１０が装着されていた場合には、ステップ＃４５と同様に、フラッシュ通信を行う（＃１０４Ｃ）。後述するステップ＃６６１Aまたは＃６６３Aにおいて、外部フラッシュ３１０の発光本体部６０３が縦位置か横位置のいずれに設定されているかの情報が送信されてくるので、この情報を受信する。
【０１５６】
ステップ＃１０４Ａにおける判定の結果、外部フラッシュが装着されていなかった場合には、次に、ステップ＃４６と同様に、内蔵フラッシュ５０がポップアップしているか否かの判定を行う（＃１０４Ｂ）。この判定の結果、ポップアップしていた場合には、発光部３０４の位置を検出する（＃１０４Ｄ）。このステップでは、位置検出センサ３０８の検知出力に基づいて、発光部３０４が、図１９に示すような横位置にあるか、図２０に示すような縦位置にあるかを判定する。
【０１５７】
ステップ＃１０４Ｃにおいて、フラッシュ送信を行うと、またはステップ＃１０４Ｄにおいて、発光部３０８の位置を検出すると、次に、縦横設定変更を行う（＃１０４Ｅ）。このステップにおいては、ステップ＃１０４Ｄにおいて検知した内蔵フラッシュ５０の発光部３０４の縦横位置、またはステップ＃１０４Ｃにおいて受信した外部フラッシュ３１０の発光本体部６０３の縦横位置に基づいて、図１６におけるステップ＃１０７と同様に、縦横設定変更を行い、すなわち画像データ出力領域を変更する。
【０１５８】
ステップ＃１０４Ｂにおける判定の結果、ポップアップしていなかった場合には、図１６におけるステップ＃１０５と同様に、縦横位置変更操作がなされたか否かを判定する（＃１０５）。この判定の結果、縦横位置変更操作がなされていた場合には、図１６におけるステップ＃１０７と同様に、縦横設定変更を行う（＃１０７）。
【０１５９】
ステップ＃１０４Ｅにおける縦横設定変更、またはステップ＃１０７における縦横設定変更、またはステップ＃１０５における判定の結果、縦横位置変更操作がなされていなかった場合には、設定変更のサブルーチンを終了し、元のフローに戻る。
【０１６０】
次に、外部フラッシュ３１０に電池が装填された場合に実行されるパワーオンリセットのフローについて、図２２に示すフローチャートを用いて説明する。このパワーオンリセットのフローは、図１７に示した第１実施形態におけるパワーオンリセットのフローとステップ＃６５９Ａ〜＃６６３Ａが相違するのみであるので、この相違点を中心に説明する。
【０１６１】
パワーオンリセットのフローに入ると、初期設定（＃６５１）、パワースイッチのオンオフ判定（＃６５３）、カメラ通信（＃６５５）、発光用コンデンサ充電（＃６５７）を、行う。続いて、発光本体部６０３が縦位置にあるか横位置にあるかを判定する（＃６５９Ａ）。発光本体部６０３の位置は、図示しない位置検出センサによって検知される。
【０１６２】
ステップ＃６５９Ａにおける判定の結果、発光本体部６０３の位置が縦位置であった場合には、カメラのアスペクトに縦位置の要求を行う（＃６６１Ａ）。ここでは、カメラ側の設定変更のサブルーチンにおいて、縦横位置として横位置が設定された場合には、縦位置に設定変更を行うように、カメラ側に要求を行う。前述したように、カメラ側では、ステップ＃１０４Ｃ（図２１参照）においてフラッシュ通信を行うので、このときに、縦位置への要求を送信する。この結果、例えば、カメラ側で４：３横長画像が設定されていた場合には、３：４縦長画像に設定変更される。なお、この場合には、外部フラッシュ装置３１０の配光特性を考慮して、アスペクト比を固定の値に設定するようにしても良い。
【０１６３】
一方、ステップ＃６５９Ａにおける判定の結果、発光本体部６０３の位置が横位置であった場合には、カメラのアスペクトに横位置の要求を行う（＃６６３Ａ）。ここでは、カメラ側の設定変更のサブルーチンにおいて、縦横位置として縦位置が設定された場合には、横位置に設定変更を行うように、カメラ側に要求を行う。ステップ＃１０４Ｃ（図２１参照）においてフラッシュ通信を行う際に、横位置への要求を送信する。この結果、例えば、カメラ側で３：４縦長画像が設定されていた場合には、４：３横長画像に設定変更される。なお、この場合にも、外部フラッシュ装置３１０の配光特性を考慮して、アスペクト比を固定の値に設定するようにしても良い。
【０１６４】
ステップ＃６６１Ａ、＃６６３Ａにおいて、カメラにアスペクト要求を行うと、図１７に示した第１実施形態におけるパワーオンリセットと同様に、発光準備要求かの判定（＃６６５）、発光量の演算（＃６６７）、発光信号の受信判定（＃６６９）、フラッシュ発光（＃６７１）を行う。
【０１６５】
このように、本発明の第２実施形態においては、発光部の配光特性に応じて、画像データ出力領域の縦横を切り換えるようにしている。すなわち、撮影者が内蔵フラッシュ５０または外部フラッシュ３１０の発光部（発光部３０４または発光本体部６０３）を切り換えると、この切り換えて応じて、カメラ本体２００側の画像データ出力領域の縦横を切り換えるようにしている。
【０１６６】
なお、本実施形態においては、フラッシュの発光部は手動で動かすようにしていたが、勿論、電動式であっても良い。
【０１６７】
次に、本発明の第３実施形態について、図２３および図２４を用いて説明する。第１実施形態および第２実施形態においては、外部フラッシュ３１０の発光部は１つであったが、本実施形態においては、いわゆるツインフラッシュであり、交換レンズ１００の先端側に取り付け可能な２つの発光部を有している。
【０１６８】
図２３は、本実施形態に係わるカメラ本体とツインフラッシュの外観斜視図である。カメラ本体２００のホットシューにツインフラッシュ本体３５２が装着可能である。ツインフラッシュ本体３５２には、ツインフラッシュ発光部３５４ａ、３５４ｂと接続するための端子３５２ａ、３５２ｂが設けられている。ツインフラッシュ発光部３５４ａ、３５４ｂは、交換レンズ１００に装着するための装着部３５５に固着されている。この装着部３５５は、交換レンズ１００の先端部に回動自在に装着可能である。
【０１６９】
装着部３５５の内周側には、突起部材３５５ａが設けられており、また交換レンズ１００の外周面側であって、突起部材３５５ａの回動面上には、検出スイッチ１１７ａ、１１７ｂが配置されている。検出スイッチ１１７ａは、ツインフラッシュ発光部３５４ａ、３５４ｂが縦位置に配置されている場合、すなわち、カメラ本体２００の長手方向と直交する方向に２つのツインフラッシュ発光部３５４ａ、３５４ｂが並ぶ位置にある場合に、オンとなるスイッチである。また、検出スイッチ１１７ｂは、ツインフラッシュ発光部３５４ａ、３５４ｂが横位置に配置されている場合、すなわち、カメラ本体２００の長手方向と同一方向に２つのツインフラッシュ発光部３５４ａ、３５４ｂが並ぶ位置にある場合に、オンとなるスイッチである。
【０１７０】
次に、このツインフラッシュ発光部３５４ａ、３５４ｂの配光特性と、カメラ側の画像データ出力領域の関係を、図２４を用いて説明する。図２４（Ａ）はツインフラッシュ発光部３５４ａ、３５４ｂが横位置に配置されている場合の配光特性を示す。この場合には、２つのツインフラッシュ発光部３５４ａ、３５４ｂが横に並んでいることから、フラッシュ配光６８１は横方向に山が並列する瓢箪型をしている。なるべく均一な配光特性をえるために、図２４（Ａ）に示すように、撮像素子２２１内において、横長方向に画像データ出力領域６８３を設定することが望ましい。
【０１７１】
また、図２４（Ｂ）はツインフラッシュ発光部３５４ａ、３５４ｂが縦位置に配置されている場合の配光特性を示す。この場合には、２つのツインフラッシュ発光部３５４ａ、３５４ｂが縦方向に並んでいることから、フラッシュ配光６８１は縦方向に山が並列する瓢箪型をしている。なるべく均一は配光特性をえるために、図２４（Ｂ）に示すように、撮像素子２２１内において、縦長方向に画像データ出力領域６８３を設定することが望ましい。
【０１７２】
本実施形態における回路およびフローチャートは第２実施形態と同様であることから、図面は省略する。ただし、図３に示した回路において、検出スイッチ１１７ａ、１１７ｂを交換レンズ１００内に追加し、この検出スイッチ１１７ａ、１１７ｂはレンズＣＰＵ１１１に接続され、検出結果はボディＣＰＵ２５１に送信される。
【０１７３】
また、ステップ＃１０４Ｃ（図２１参照）におけるフラッシュ通信の際に、発光部の位置情報を取得していたが、本実施形態においては、スイッチ１１７ａ、１１７ｂのオンオフ状態により取得する点で相違する。
【０１７４】
次に、本発明の第４実施形態について、図２５および図２４を用いて説明する。第３実施形態においては、外部フラッシュ３１０はツインフラッシュであったが、本実施形態においては、いわゆるリングフラッシュであり、交換レンズ１００の先端側の周囲に取り付け可能なリング状の発光部を有している。
【０１７５】
図２５は、本実施形態に係わるカメラ本体とリングフラッシュの外観斜視図である。カメラ本体２００のホットシューにリングフラッシュ本体３６２が装着可能である。リングフラッシュ本体３６２は、リングフラッシュ発光部３６４の発光制御を行うためのリングフラッシュ制御部３６３とケーブルを介して接続されている。リングフラッシュ発光部３６４は、リングフラッシュ制御部３６３と一体に構成され、交換レンズ１００の先端部に装着可能である。
【０１７６】
次に、図２６はリングフラッシュ発光部３６４の配光特性と撮像素子２２１の関係を示す。図示されるように、リングフラッシュの配光特性は略真円形状となっている。このため、画像データ出力領域としては、略正方形となるように設定する。この画像データ出力領域は、図４においてイメージサークル１２０内の１：１正方形の範囲が相当する。本実施形態における構成およびフローは第２実施形態と同様であるので、詳しい説明は省略するが、図２１におけるステップ＃１０４Ｃにおいて、リングフラッシュとの通信時において、装着されている外部フラッシュがリングフラッシュであることが判明した場合には、ステップ＃１０４Ｅにおける縦横設定において、画像データ出力領域として略正方形を設定する。
【０１７７】
なお、本実施形態におけるリングフラッシュは、配光特性に縦横で相違がないことから、フラッシュの縦横位置に応じて、画像データ出力領域を切り替えたり、また逆に、カメラ側の画像データ出力領域の縦横を切り替えることに応じて、フラッシュ側の縦横位置の切り換えを行わないようにしてもよい。この場合には、リングフラッシュとの通信時（＃１０４Ｃ参照）に、装着されている外部フラッシュがリングフラッシュであることが判明したときには、縦横設定変更を行わないようにしてもよい。
【０１７８】
以上説明したように、本発明の実施形態においては、カメラ側において設定された画像データ出力領域の縦横に応じて、内蔵または外部フラッシュの配光特性の制御を行っている。このため、縦横位置の切り換えをおこなった場合でも最適な配光とすることができる。
【０１７９】
また、本発明の実施形態においては、フラッシュ装置の発光部の配光特性に応じて、カメラ側の画像データ出力領域の縦横の制御を行っている。このため、フラッシュ装置の配光特性に応じて、最適な縦横やアスペクト比とすることができる。
【０１８０】
また、従来の撮像装置においては、アスペクト比によって画角が異なり、対角線長が異なるといった問題があった。すなわち、画角が変化してしまうという問題があった。しかし、本発明の実施形態によれば、撮像素子２２１のイメージサークル１２０の対角線はいつも一定であり、画角が変化することがない。
【０１８１】
なお、本発明の実施形態においては、光学ファインダとライブビュー表示の両方の表示部を有していたが、いずれか一方でもよく、例えば、光学ファインダのみでもよく、逆にライブビュー表示のみでも良い。
【０１８２】
また、本発明の実施形態においては、フラッシュ側の発光部の配光特性の切り換えに応じて、画像データ出力領域の縦横位置のみを切り換えていたが、縦横位置は切り換えず、アスペクト比のみを切り換えるようにしても良い。この場合には、なるべく配光が均一になる範囲となるように、アスペクト比を変えれば良い。また、縦横位置と共にアスペクト比を、なるべく配光が均一となる範囲になるように制御すれば良い。
【０１８３】
さらに、本発明の実施形態においては、カメラ側の画像データ出力領域の縦横位置のみの切り換えに応じて、フラッシュ側の発光部の縦横位置を切り換えていたが、カメラ側のアスペクト比の切り換えに応じても、フラッシュ側の発光部の位置を制御するようにしても良い。この場合には、縦横、すなわち、０度と９０度の切り換えに限らず、４５度等中間位置を取るようにしても良い。
【０１８４】
さらに、本発明の実施形態においては、フラッシュ側の発光部の縦横位置の制御として、発光管と反射傘を一体に駆動していたが、発光部の配光特性の制御としては、これに限らず、例えば、発光管の前に配置する投光レンズに、投光方向により異方性を持たせ、この投光レンズを切り換えても良い。また、発光源は点光源とし、後方に配置する反射傘の形状を切り換えるようにしても良い。いずれにしても。カメラ側の画像データ出力領域の形状に合わせて、配光特性を切り換えられるものであれば良い。
【０１８５】
さらに、本発明の実施形態においては、縦横位置やアスペクト比によって決まる画像データ出力領域の画像データは、前処理回路２２５や画像処理回路２５７によって、撮像素子駆動回路２２３から出力される画像データの中から選択していた。しかし、これに限らず、例えば、撮像素子２２１から読み出す際に、縦横位置やアスペクト比によって決まる範囲についてのみ、画像データを読み出すようにしても良い。
【０１８６】
さらに、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。いずれにしても、縦横位置やアスペクトを変更することが可能な撮影のための機器であれば、本発明を適用することができる。
【０１８７】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【０１８８】
【図１】本発明の第１実施形態に係わるデジタルカメラの正面側からみた外観斜視図である。
【図２】本発明の第１実施形態に係るデジタルカメラの背面側から見た外観斜視図である。
【図３】本発明の第１実施形態に係わるデジタルカメラにおいて電気回路を示すブロック図である。
【図４】本発明の第１実施形態に係わるデジタルカメラにおいて撮像素子のイメージサークルと縦横位置およびアスペクト比を示す図である。
【図５】本発明の第１実施形態に係わる外部フラッシュの外観斜視図である。
【図６】本発明の第１実施形態に係わる外部フラッシュの長手方向の断面図である。
【図７】本発明の第１実施形態に係わる外部フラッシュの全体の分解斜視図である。
【図８】本発明の第１実施形態に係わる外部フラッシュの回動軸周りの詳細な分解斜視図である。
【図９】本発明の第１実施形態に係わる外部フラッシュをカメラ本体に取り付けたい状態での使用状態を示す図である。
【図１０】本発明の第１実施形態に係わる外部フラッシュの電気回路の構成を示すブロック図である。
【図１１】本発明の第１実施形態に係わるデジタルカメラの内蔵フラッシュがポップした状態で、かつ発光管が横位置にある場合の斜視図を示す。
【図１２】本発明の第１実施形態に係わるデジタルカメラの内蔵フラッシュがポップした状態で、かつ発光管が縦位置にある場合の斜視図を示す。
【図１３】本発明の第１実施形態に係わる外部フラッシュおよび内蔵フラッシュの配光特性を示し、（Ａ）はフラッシュを横位置に設定している場合、（Ｂ）はフラッシュを縦位置に設定している場合の配光特性を示す図である。
【図１４】本発明の第１実施形態におけるデジタルカメラにおいて、パワーオンリセットの動作を示すフローチャートである。
【図１５】本発明の第１実施形態におけるデジタルカメラにおいて、撮影動作を示すフローチャートである。
【図１６】本発明の第１実施形態におけるデジタルカメラにおいて、設定変更の動作を説明する図であり、（ａ）は設定変更のフローチャートであり、（ｂ）は縦横位置およびアスペクト比の関係を示す図である。
【図１７】本発明の第１実施形態における外部フラッシュにおいて、パワーオンリセットの動作を示すフローチャートである。
【図１８】本発明の第２実施形態におけるデジタルカメラに外部フラッシュを装着した状態を示す正面図であり、（Ａ）は外部フラッシュの本体発光部が横位置にある場合、（Ｂ）は本体発光部が縦位置にある場合を示す。
【図１９】本発明の第２実施形態におけるデジタルカメラの内蔵フラッシュがポップアップした状態で、発光部が横位置にある場合の部分外観斜視図である。
【図２０】本発明の第２実施形態におけるデジタルカメラの内蔵フラッシュがポップアップした状態で、発光部が縦位置にある場合の部分外観斜視図である。
【図２１】本発明の第２実施形態におけるデジタルカメラにおいて、設定変更の動作を示すフローチャートである。
【図２２】本発明の第２実施形態における外部フラッシュにおいて、パワーオンリセットの動作を示すフローチャートである。
【図２３】本発明の第３実施形態におけるデジタルカメラにツインフラッシュを装着した状態を示す外観斜視図である。
【図２４】本発明の第３実施形態におけるフラッシュの配光特性図である。
【図２５】本発明の第４実施形態におけるデジタルカメラにリングフラッシュを装着した状態を示す外観斜視図である。
【図２６】本発明の第４実施形態におけるフラッシュの配光特性図である。
【符号の説明】
【０１８９】
２１・・・レリーズ釦、２２・・・前ダイアル、２３・・・後ダイアル、２４・・・ボディマウント、３１・・・ＬＶ表示釦、３２・・・十字釦、３３・・・ＯＫ釦、３４・・・パワースイッチ、３５・・・メニュー釦、３６・・・再生釦、３７・・・縦横釦、３８・・・接眼部、３９・・・背面ＬＣＤ、４０・・・コントロールパネル、５０・・・内蔵フラッシュ、１００・・・交換レンズ、１０１・・・撮影光学系、１０３・・・絞り、１０５・・・ピント位置検出機構、１０６・・・ズーム位置検出機構、１０７・・・光学系駆動機構、１０９・・・絞り駆動機構、１１１・・・レンズＣＰＵ、１１３・・・レンズＲＯＭ、１１５・・・レンズＲＡＭ、１２０・・・イメージサークル、２００・・・カメラ本体、２００ａ・・・嵌合部、２０１・・・可動ミラー、２０３・・・サブミラー、２０４・・・スクリーン、２０５・・・全面ＬＣＤ、２０６・・・ファインダ内表示装置、２０７・・・ペンタプリズム、２０９・・・接眼レンズ、２１１・・・測光素子、２１２・・・測光処理回路、２１３・・・シャッタ、２１５・・・防塵フィルタ、２１７・・・ローパスフィルタ、２２１・・・撮像素子、２２３・・・撮像素子駆動回路、２２５・・・前処理回路、２２７・・・傾きセンサ、２２８・・・傾き検知回路、２２９・・・手ブレセンサ、２３０・・・手ブレ補正回路、２３１・・・シフト機構駆動回路、２３３・・・シフト機構、２３５・・・防塵フィルタ駆動回路、２３７・・・シャッタ駆動機構、２３９・・・ミラー駆動機構、２４１・・・位相差ＡＦセンサ、２４３・・・位相差ＡＦ処理回路、２４４・・・光源センサ、２４５・・・光源処理回路、２４６・・・照度センサ、２４７・・・照度処理回路、２４８・・・リモコン受信センサ、２４９・・・リモコン受信処理回路、２５０・・・ＡＳＩＣ、２５１・・・ボディＣＰＵ、２５２・・・バス、２５３・・・コントラストＡＦ回路、２５５・・・ＡＥ回路、２５７・・・画像処理回路、２５９・・・圧縮伸張回路、２６１・・・ビデオ信号出力回路、２６３・・・ＬＣＤ駆動回路、２６５・・・ＬＣＤ向き検知回路、２６８・・・スイッチ検知回路、２６９・・・各種スイッチ、２７１・・・入出力回路、２７３・・・通信回路、２７５・・・フラッシュメモリ制御回路、２７７・・・フラッシュメモリ、２７９・・・ＳＤＲＡＭ制御回路、２８１・・・ＳＤＲＡＭ、２８３・・・記録媒体制御回路、２８５・・・記録媒体Ａ、２８７・・・記録媒体Ｂ、２８９・・・ダイアル検知回路、２９１・・・電源供給回路、２９２・・・バッテリ、２９３・・・外部電源、２９５・・・ファインダ内表示駆動回路、２９７・・・コントロールパネル駆動回路、３０１・・・充電回路、３０３・・・フラッシュ発光回路、３０４・・・発光部、３０５・・・発光管、３０６・・・反射傘、３０７・・・発光部駆動機構、３０８・・・位置検出センサ、３１０・・・外部フラッシュ、３１０ｂ・・・接点、３１１・・・フラッシュＣＰＵ、３２０・・・外部機器（ＰＣ）、３２０ａ・・・接点、３２１・・・機器ＣＰＵ、３３０・・・外部表示装置（ＴＶ）、３３０ａ・・・接点、３３１・・・表示装置駆動回路、３３３・・・表示装置、３４１・・・通信接点、３５２・・・ツインフラッシュ本体、３５２ａ・・・端子、３５２ｂ・・・端子、３５４ａ・・・ツインフラッシュ発光部、３５４ｂ・・・ツインフラッシュ発光部、３５５・・・装着部、３５５ａ・・・突起部材、３６２・・・リングフラッシュ本体、３６２・・・リングフラッシュ制御部、３６４・・・リングフラッシュ発光部、６０１・・・フラッシュ本体、６０２・・・本体支持部、６０２a・・・本体支持体、６０３・・・発光本体部、６０４・・・発光面、６０５・・・受光部、６０６・・・ストロボシュー、６０７・・・フラッシュ回転体、６１１・・・反射傘、６１２・・・キセノン管、６１３・・・電池室、６１４・・・電池、６１５・・・充電基板、６１６・・・メインコンデンサ、６１７・・・歯車、６１８・・・ケーブルフレキ、６１８a・・・接点端子、６１８ｂ・・・屈曲部、６１８ｃ・・・接点端子、６２１・・・回動出力ギア、６２３・・・止め円板、６２３a・・・ネジ、６２３ｂ・・・ネジ、６２３ｃ・・・ネジ、６２４・・・減速機構、６２５・・・摺動リングA、６２６・・・摺動リングB、６２６a・・・摺動面、６２６ｂ・・・鍔面（フランジ）、６２７・・・モータフレキ、６２７a・・・接点端、６２７ｂ・・・連絡部、６２７ｃ・・・モータ端子部、６２８・・・コネクタ、６２９・・・フォトインタラプタ、６２９a・・・インタラプタ、６２９ｂ・・・モータピニオンギア、６３０・・・回動駆動モータ、６３１・・・フラッシュ制御基板、６３２・・・ＬＣＤ、６３３・・・フラッシュ制御ＣＰＵ（Ｓμｃｏｍ）、６３４・・・操作釦、６３５・・・回転軸、６３５ａ・・・受け孔、６３５ｂ・・・受け孔、６３５ｃ・・・受け孔、６３６・・・フレキケーブル溝、６３７ａ・・・ネジ、６３７ｂ・・・ネジ、６３７ｃ・・・ネジ、６３８・・・モータフレキ、６３９・・・ギアトレイン、６３９ａ・・・ギアA、６３９ｂ・・・ギアB、６５２・・・ドライバ駆動回路、６６１・・・発光回路、６６２・・・充電回路、６６３・・・充電電圧検知回路、６７１・・・内蔵フラッシュ本体、６７３・・・ステップモータ、６７４・・・軸、６７５・・・つるまきばね、６７６・・・受け部、６８１・・・フラッシュ配光、６８３・・・画像データ出力領域
【図１】
2010141457.tif 000003
【図２】
2010141457.tif 000004
【図３】
2010141457.tif 000005
【図４】
2010141457.tif 000006
【図５】
2010141457.tif 000007
【図６】
2010141457.tif 000008
【図７】
2010141457.tif 000009
【図８】
2010141457.tif 000010
【図９】
2010141457.tif 000011
【図１０】
2010141457.tif 000012
【図１１】
2010141457.tif 000013
【図１２】
2010141457.tif 000014
【図１３】
2010141457.tif 000015
【図１４】
2010141457.tif 000016
【図１５】
2010141457.tif 000017
【図１６】
2010141457.tif 000018
【図１７】
2010141457.tif 000019
【図１８】
2010141457.tif 000020
【図１９】
2010141457.tif 000021
【図２０】
2010141457.tif 000022
【図２１】
2010141457.tif 000023
【図２２】
2010141457.tif 000024
【図２３】
2010141457.tif 000025
【図２４】
2010141457.tif 000026
【図２５】
2010141457.tif 000027
【図２６】
2010141457.tif 000028